(57)【要約】【課題】端末装置と基地局装置が互いに、下りリンクチャネルを用いて効率的に通信することができる。【解決手段】端末装置は、第１のセルにおける第２のＤＣＩフォーマットのモニタリングが非活性化されていない、且つ、第１のＤＣＩフォーマットのサイズ、および、第２のＤＣＩフォーマットのサイズが同じである場合、第２の値に基づいて与えられるＵＳＳにおいて、第１のＤＣＩフォーマットを含む第１のＰＤＣＣＨが送信される可能性があるとみなし、且つ、第１のセルにおける第２のＤＣＩフォーマットのモニタリングが非活性化されている、且つ、第１のＤＣＩフォーマットのサイズ、および、前記第２のＤＣＩフォーマットのサイズが同じである場合、第２の値に基づいて与えられるＵＳＳにおいて、第１のＤＣＩフォーマットを含む第１のＰＤＣＣＨが送信される可能性がないとみなす。【選択図】図１６
2019004196.tif 000002
【特許請求の範囲】
【請求項１】
第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、且つ、
前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードする受信部を備え、
前記受信部は、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、
前記受信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす
端末装置。
【請求項２】
前記第１のＤＣＩフォーマット、および、前記第２のＤＣＩフォーマットは、Ｃ−ＲＮＴＩ（Cell-Radio Network Temporary Identifier）によってスクランブルされるＣＲＣ
（Cyclic Redundancy Check）パリティビットが付加される
請求項１の端末装置。
【請求項３】
前記受信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳにおいて、前記第２のＤＣＩフォーマットを含む前記第２のＰＤＣＣＨが送信される可能性があるとみなす
請求項１の端末装置。
【請求項４】
前記受信部は、前記第１のサービングセルにおける前記第２のＤＣＩフォーマットのモニタリングが非活性化されている場合、前記第２の値に基づいて与えられるＵＳＳにおいて、前記第２のＤＣＩフォーマットを含む前記第２のＰＤＣＣＨが送信される可能性がないとみなす
請求項１の端末装置。
【請求項５】
第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、且つ、
前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールする送信部を備え、
前記送信部は、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、
前記送信部は、前記第１のサービングセルにおける前記第２のＤＣＩフォーマットのモ
ニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する
基地局装置。
【請求項６】
前記第１のＤＣＩフォーマット、および、前記第２のＤＣＩフォーマットは、Ｃ−ＲＮＴＩ（Cell-Radio Network Temporary Identifier）によってスクランブルされるＣＲＣ
（Cyclic Redundancy Check）パリティビットが付加される
請求項５の端末装置。
【請求項７】
前記送信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳの中から、前記第１のＤＣＩフォーマットを含む前記第１のＰＤＣＣＨを送信するためのリソースを選択しない
請求項５の基地局装置。
【請求項８】
前記送信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第２のＤＣＩフォーマットを含む前記第２のＰＤＣＣＨを送信するためのリソースを選択する
請求項５の基地局装置。
【請求項９】
前記送信部は、前記第１のサービングセルにおける前記第２のＤＣＩフォーマットのモニタリングが非活性化されている場合、前記第２の値に基づいて与えられるＵＳＳにおいて、前記第２のＤＣＩフォーマットを含む前記第２のＰＤＣＣＨを送信するためのリソースを選択しない
請求項５の基地局装置。
【請求項１０】
端末装置に用いられる通信方法であって、
第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、
前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードし、
前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、
前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす
通信方法。
【請求項１１】
基地局装置に用いられる通信方法であって、
第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、
前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールし、
前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、
前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する
通信方法。
【請求項１２】
端末装置に実装される集積回路であって、
第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、且つ、
前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードする受信回路を備え、
前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、
前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす
集積回路。
【請求項１３】
基地局装置に実装される集積回路であって、
第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、且つ、
前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールする送信部を備え、
前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、
前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
３ＧＰＰによって、端末装置が複数のサービングセル（コンポーネントキャリア）において同時に送信、および／または、受信を行うことができるキャリアアグリゲーションが仕様化されている。
【０００４】
非特許文献１において、サービングセル、および、アグリゲーションレベル毎に、端末装置がモニタするＵＳＳ（User Equipment-specific Search Space）に含まれるＰＤＣＣＨ候補の数を、設定することが提案されている。また、非特許文献１において、サービングセル毎に、ＤＣＩフォーマット０／１Ａに対するモニタリングの非活性化を導入することが提案されている。
【先行技術文献】
【非特許文献】
【０００５】
【非特許文献１】"WF on number of blind decodes", R1-156130, Nokia Networks, Lenovo, 3GPP TSG RAN Meeting #82bis, Malmo, Sweden, 5th - 9th October 2015.
【非特許文献２】"3GPP TS 36.211 V12.7.0 (2015-09)", 25th September, 2015.
【非特許文献３】"3GPP TS 36.212 V12.6.0 (2015-09)", 25th September, 2015.
【非特許文献４】"3GPP TS 36.213 V12.7.0 (2015-03)", 25th September, 2015.
【発明の概要】
【発明が解決しようとする課題】
【０００６】
本発明は下りリンクチャネルを用いて効率的に基地局装置と通信することができる端末装置、該端末装置と通信する基地局装置、該端末装置に用いられる通信方法、該基地局装置に用いられる通信方法、該端末装置に実装される集積回路、該基地局装置に実装される集積回路を提供する。例えば、端末装置がモニタするＵＳＳを効率的に設計／定義する。該端末装置に用いられる通信方法は、端末装置による効率的なＵＳＳのモニタリング方法を含んでもよい。該基地局装置に用いられる通信方法は、端末装置に対する下りリンクチャネルの効率的な送信方法を含んでもよい。
【課題を解決するための手段】
【０００７】
（１）本発明の態様は、以下のような手段を講じた。すなわち、本発明の第１の態様は端末装置であって、第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、且つ、前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードする受信部を備え、前
記受信部は、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、前記受信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす。
【０００８】
（２）本発明の第２の態様は基地局装置であって、第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、且つ、前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールする送信部を備え、前記送信部は、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、前記送信部は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する。
【０００９】
（３）本発明の第３の態様は、端末装置に用いられる通信方法であって、第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードし、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす。
【００１０】
（４）本発明の第４の態様は、基地局装置に用いられる通信方法であって、第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールし、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から
、前記第１のＤＣＩフォーマットを含む前記第１のＰＤＣＣＨが送信されるリソースを選択し、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する。
【００１１】
（５）本発明の第５の態様は、端末装置に実装される集積回路であって、第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、且つ、前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードする受信回路を備え、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす。
【００１２】
（６）本発明の第６の態様は、基地局装置に実装される集積回路であって、基地局装置に実装される集積回路であって、第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、且つ、前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールする送信部を備え、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する。
【発明の効果】
【００１３】
この発明によれば、端末装置および基地局装置は互いに、下りリンクチャネルを用いて効率的に通信することができる。
【図面の簡単な説明】
【００１４】
【図１】本実施形態の無線通信システムの概念図である。
【図２】本実施形態の無線フレームの概略構成を示す図である。
【図３】本実施形態の下りリンクスロットの概略構成を示す図である。
【図４】本実施形態における下りリンク信号のマッピングの一例を示す図である。
【図５】本実施形態における下りリンク制御情報の送信処理の一例を示す図である。
【図６】本実施形態における１つのサービングセルの１つのサブフレームｋにおけるＰＤＣＣＨ  ＵＳＳの一例を示す図である。
【図７】本実施形態における１つのサービングセルの１つのサブフレームｋにおけるＰＤＣＣＨ  ＵＳＳの一例を示す図である。
【図８】本実施形態における１つのサービングセルの１つのサブフレームｋにおけるＰＤＣＣＨ  ＵＳＳの一例を示す図である。
【図９】本実施形態における１つのサービングセルの１つのサブフレームｋにおける１つのＥＰＤＣＣＨセットｐにおけるＥＰＤＣＣＨ  ＵＳＳの一例を示す図である。
【図１０】本実施形態における１つのサービングセルの１つのサブフレームｋにおける１つのＥＰＤＣＣＨセットｐにおけるＥＰＤＣＣＨ  ＵＳＳの一例を示す図である。
【図１１】本実施形態における１つのサービングセルの１つのサブフレームｋにおける１つのＥＰＤＣＣＨセットｐにおけるＥＰＤＣＣＨ  ＵＳＳの一例を示す図である。
【図１２】本実施形態における１つのサービングセルの１つのサブフレームｋにおける１つのＥＰＤＣＣＨセットｐにおけるＥＰＤＣＣＨ  ＵＳＳの一例を示す図である。
【図１３】本実施形態におけるＣＩＦ値１に対応するサービングセルｃ１に対するＤＣＩフォーマット０／１Ａのモニタリングが非活性化されていない場合におけるＤＣＩフォーマットとＵＳＳとの対応を示す図である。
【図１４】本実施形態におけるＣＩＦ値１に対応するサービングセルｃ１に対するＤＣＩフォーマット０／１Ａのモニタリングが非活性化されている場合におけるＤＣＩフォーマットとＵＳＳとの対応を示す図である。
【図１５】本実施形態におけるＣＩＦ値１に対応するサービングセルｃ１に対するＤＣＩフォーマット０／１Ａのモニタリングが非活性化されている場合におけるＤＣＩフォーマットとＵＳＳとの対応を示す図である。
【図１６】本実施形態の端末装置１の構成を示す概略ブロック図である。
【図１７】本実施形態の基地局装置３の構成を示す概略ブロック図である。
【発明を実施するための形態】
【００１５】
以下、本発明の実施形態について説明する。
【００１６】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。キャリアアグリゲーションにおいて、設定された複数のサービングセルを集約されたサービングセルとも称する。
【００１９】
本実施形態の無線通信システムは、ＴＤＤ（Time Division Duplex）および／またはＦＤＤ（Frequency Division Duplex）が適用される。セルアグリゲーションの場合には、
ＴＤＤが適用されるサービングセルとＦＤＤが適用されるサービングセルが集約されてもよい。
【００２０】
設定された複数のサービングセルは、１つのプライマリーセルと１つまたは複数のセカ
ンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンド
オーバプロシージャにおいてプライマリーセルと指示されたセルである。ＲＲＣ（Radio Resource Control）コネクションが確立された時点、または、後に、セカンダリーセルが設定されてもよい。
【００２１】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２２】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２３】
図２は、本実施形態の無線フレームの概略構成を示す図である。図２において、横軸は時間軸である。
【００２４】
時間領域における種々のフィールドのサイズは、時間ユニットTs=1/(15000・2048)秒の数によって表現される。無線フレームの長さは、Tf=307200・Ts=10msである。それぞれの無線フレームは、時間領域において連続する１０のサブフレームを含む。それぞれのサブフレームの長さは、Tsubframe=30720・Ts=1msである。それぞれのサブフレームｉは、時
間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。
【００２５】
以下、本実施形態のスロットの構成について説明する。図３は、本実施形態の下りリンクスロットの概略構成を示す図である。図３において、１つのセルにおける下りリンクスロットの構成を示す。図３において、横軸は時間軸であり、縦軸は周波数軸である。図３において、ｌはＯＦＤＭ（orthogonal frequency-division multiplexing）シンボル番号／インデックスであり、ｋはサブキャリア番号／インデックスである。
【００２６】
スロットのそれぞれにおいて送信される物理シグナルまたは物理チャネルは、リソースグリッドによって表現される。下りリンクにおいて、リソースグリッドは複数のサブキャリアと複数のＯＦＤＭシンボルによって定義される。リソースグリッド内のエレメントのそれぞれをリソースエレメントと称する。リソースエレメントは、サブキャリア番号／インデックスｋ、および、ＯＦＤＭシンボル番号／インデックスｌによって表される。
【００２７】
リソースグリッドは、アンテナポート毎に定義される。本実施形態では、１つのアンテナポートに対する説明を行う。複数のアンテナポートのそれぞれに対して、本実施形態が適用されてもよい。
【００２８】
下りリンクスロットは、時間領域において、複数のＯＦＤＭシンボルｌ（l=0,1,…,NDLsymb）を含む。NDLsymbは、１つの下りリンクスロットに含まれるＯＦＤＭシンボルの数
を示す。ノーマルＣＰ（normal Cyclic Prefix）に対して、NDLsymbは７である。拡張Ｃ
Ｐ（extended Cyclic Prefix）に対して、NDLsymbは６である。
【００２９】
下りリンクスロットは、周波数領域において、複数のサブキャリアｋ（k=0,1,…,NDLRB
×NRBsc)を含む。NDLRBは、NRBscの倍数によって表現される、サービングセルに対する
下りリンク帯域幅設定である。NRBscは、サブキャリアの数によって表現される、周波数
領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００３０】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNDLsymbの連続するＯＦＤＭシンボルと周波数領域においてNRBscの連続するサブキャリアとから定義される。ゆえに、１つの物理リソースブロックは（NDLsymb×NRBsc）のリソースエレメントから構成される。１つの物理リソースブロックは、時間領域において１つのスロットに対応する。物理リソースブロックは周波数領域において、周波数の低いほうから順に番号／インデックス（0,1,…, NDLRB -1）が付けられる。
【００３１】
本実施形態の物理チャネルおよび物理シグナルについて説明する。
【００３２】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３３】
ＰＵＣＣＨは、上りリンク制御情報（Uplink Control Information: UCI）を送信する
ために用いられる。
【００３４】
ＰＵＳＣＨは、上りリンクデータ（Uplink-Shared Channel: UL-SCH）、および／また
は、上りリンク制御情報を送信するために用いられる。
【００３５】
ＰＲＡＣＨは、ランダムアクセスプリアンブル（ランダムアクセスメッセージ１）を送信するために用いられる。
【００３６】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
【００３７】
本実施形態において、以下の２つのタイプの上りリンク参照信号が用いられる。
・ＤＭＲＳ（Demodulation Reference Signal）
・ＳＲＳ（Sounding Reference Signal）
【００３８】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３９】
ＰＢＣＨは、端末装置１で共通に用いられるマスターインフォメーションブロック（Master Information Block: MIB, Broadcast Channel: BCH）を報知するために用いられる
。
【００４０】
ＰＣＦＩＣＨは、該ＰＣＦＩＣＨが送信されるサブフレームにおけるＰＤＣＣＨの送信に用いられる領域（ＯＦＤＭシンボル）を指示する情報を送信するために用いられる。
【００４１】
ＰＨＩＣＨは、基地局装置３が受信した上りリンクデータ（Uplink Shared Channel: UL-SCH）に対するＡＣＫ（Acknowledgement）またはＮＡＣＫ（Negative Acknowledgement）を示すＨＡＲＱインディケータを送信するために用いられる。
【００４２】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。ＤＣＩフォーマットのフィールドに、下りリンク制御情報がマップされる。下りリンク制御情報は、下りリンクグラント（downlink grant）および上りリンクグラント（uplink grant）を含む。下りリンクグラントは、下りリンクアサインメント（downlink
assignment）または下りリンク割り当て（downlink allocation）とも称する。
【００４３】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４４】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００４５】
下りリンクグラント、または、上りリンクグラントに付加されるＣＲＣパリティビットは、Ｃ−ＲＮＴＩ（Cell-Radio Network Temporary Identifier）、ＳＰＳ（Semi Persistent Scheduling）Ｃ−ＲＮＴＩCell-Radio Network Temporary Identifier）によってスクランブルされる。Ｃ−ＲＮＴＩおよびＳＰＳ  Ｃ−ＲＮＴＩは、セル内において端末装置を識別するための識別子である。Ｃ−ＲＮＴＩは、１つのサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００４６】
ＰＤＳＣＨは、下りリンクデータ（Downlink Shared Channel: DL-SCH）を送信するた
めに用いられる。
【００４７】
ＰＭＣＨは、マルチキャストデータ（Multicast Channel: MCH）を送信するために用いられる。
【００４８】
図１において、下りリンクの無線通信では、以下の下りリンク物理シグナルが用いられる。下りリンク物理シグナルは、上位層から出力された情報を送信するために使用されな
いが、物理層によって使用される。
・同期信号（Synchronization signal: SS）
・下りリンク参照信号（Downlink Reference Signal: DL RS）
【００４９】
同期信号は、端末装置１が下りリンクの周波数領域および時間領域の同期をとるために用いられる。
【００５０】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００５１】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５２】
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００５３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００５４】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００５５】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対し
て専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００５６】
上りリンクグラントは、ＤＣＩフォーマット０、および、ＤＣＩフォーマット４を含む。ＤＣＩフォーマット０に対応するＰＵＳＣＨの送信方式は、シングルアンテナポートである。ＤＣＩフォーマット４に対応するＰＵＳＣＨの送信方式は、閉ループ空間多重である。
【００５７】
下りリンクグラントは、ＤＣＩフォーマット１Ａ、および、ＤＣＩフォーマット２を含む。ＤＣＩフォーマット１Ａに対応するＰＤＳＣＨの送信方式は、シングルアンテナポート、または、送信ダイバーシチである。ＤＣＩフォーマット２に対応するＰＤＳＣＨの送信方式は、閉ループ空間多重である。
【００５８】
あるサービングセルにおけるＰＤＳＣＨ／ＰＵＳＣＨをスケジューリングするために用いられるＤＣＩフォーマットを含むＰＤＣＣＨ／ＥＰＤＣＣＨを、該あるサービングセルに対するＰＤＣＣＨ／ＥＰＤＣＣＨと称する。
【００５９】
あるサービングセルにおけるＰＤＳＣＨ／ＰＵＳＣＨをスケジューリングするために用いられるＤＣＩフォーマットを、該あるサービングセルに対するＤＣＩフォーマットと称する。あるサービングセルに対するＤＣＩフォーマット０のペイロードサイズは、同じサービングセルに対するＤＣＩフォーマット１Ａのペイロードサイズと同じである。ＤＣＩフォーマット０、および、ＤＣＩフォーマット１Ａには、ＤＣＩフォーマットのタイプ（０または１Ａ）を示すフラグが含まれる。ＤＣＩフォーマット０、および／または、ＤＣＩフォーマット１Ａを、ＤＣＩフォーマット０／１Ａとも称する。
【００６０】
ＤＣＩフォーマット０／１Ａを除いて、あるサービングセルに対する異なるＤＣＩフォーマットは、異なるペイロードサイズを持つ。ＤＣＩフォーマット０／１Ａを除いて、端末装置１は、ＤＣＩフォーマットのペイロードサイズに基づいて、ＤＣＩフォーマットを特定することができる。異なるサービングセルに対する異なるＤＣＩフォーマットは、同じペイロードサイズを持ってもよい。端末装置１は、ＤＣＩフォーマットに含まれるＣＩＦ（Carrier Indicator Field）の値に基づいて、ＤＣＩフォーマットを特定することが
できる。ＣＩＦは、キャリアインディケータがマップされるフィールドである。キャリアインディケータの値は、該キャリアインディケータが関連するＤＣＩフォーマットが対応するサービングセルを示す。キャリアインディケータの値を、ＣＩＦの値とも称する。
【００６１】
プライマリーセルに対するＰＤＣＣＨ／ＥＰＤＣＣＨは、プライマリーセルにおいて送信される。セカンダリーセルに対するＰＤＣＣＨ／ＥＰＤＣＣＨは、プライマリーセル、同じセカンダリーセル、または、異なるセカンダリーセルにおいて送信される。
【００６２】
端末装置１は、あるサービングセルにおけるＣＩＦを含むＰＤＣＣＨ／ＥＰＤＣＣＨの検出に基づいて、該デコードされたＰＤＣＣＨ／ＥＰＤＣＣＨに含まれるＣＩＦの値によって示されるサービングセルにおけるＰＤＳＣＨをデコードする。
【００６３】
他のサービングセルにおいて、サービングセルに対応し、且つ、ＣＩＦを含むＰＤＣＣＨ／ＥＰＤＣＣＨをモニタするように設定されている端末装置１は、該他のサービングセルにおいてＣＩＦを含むＰＤＣＣＨ／ＥＰＤＣＣＨをモニタする。他のサービングセルにおいて、サービングセルに対応し、且つ、ＣＩＦを含むＰＤＣＣＨ／ＥＰＤＣＣＨをモニ
タするように設定されている端末装置１は、該サービングセルにおいてＰＤＣＣＨ／ＥＰＤＣＣＨをモニタしなくてもよい。
【００６４】
他のサービングセルにおいて、サービングセルに対応し、且つ、ＣＩＦを含むＰＤＣＣＨ／ＥＰＤＣＣＨをモニタするように設定されていない端末装置１は、該サービングセルにおいてＰＤＣＣＨ／ＥＰＤＣＣＨをモニタする。
【００６５】
ＣＩＦを含むＰＤＣＣＨ／ＥＰＤＣＣＨをモニタすることは、ＣＩＦを含むＤＣＩフォーマットに応じてＰＤＣＣＨまたはＥＰＤＣＣＨのデコードを試みることを意味する。
【００６６】
基地局装置３は、プライマリーセルにおいて送信されるＤＣＩフォーマットにＣＩＦが含まれるかどうかを示すパラメータ（cif-Presence-r10）を、端末装置１に送信する。
【００６７】
基地局装置３は、セカンダリーセルのそれぞれに対して、クロスキャリアスケジューリングに関連するパラメータ（CrossCarrierSchedulingConfig-r10）を、端末装置１に送信する。
【００６８】
パラメータ（CrossCarrierSchedulingConfig-r10）は、関連するセカンダリーセルに対応するＰＤＣＣＨ／ＥＰＤＣＣＨが、該セカンダリーセルで送信されるか、他のサービングセルで送信されるかを示すパラメータ（schedulingCellInfo-r10）を含む。
【００６９】
パラメータ（schedulingCellInfo-r10）が、関連するセカンダリーセルに対応するＰＤＣＣＨ／ＥＰＤＣＣＨが該セカンダリーセルで送信されることを示している場合、パラメータ（schedulingCellInfo-r10）は、該セカンダリーセルにおいて送信されるＤＣＩフォーマットにＣＩＦが含まれるかどうかを示すパラメータ（cif-Presence-r10）を含む。
【００７０】
パラメータ（schedulingCellInfo-r10）が、関連するセカンダリーセルに対応するＰＤＣＣＨ／ＥＰＤＣＣＨが他のサービングセルで送信されることを示している場合、パラメータ（schedulingCellInfo-r10）は、関連する該セカンダリーセルに対するＤＣＩフォーマットが何れのサービングセルで送られるかを示すパラメータ（schedulingCellId）を含む。
【００７１】
基地局装置３は、パラメータ（schedulingCellInfo-r10）が、関連するセカンダリーセルに対応するＰＤＣＣＨ／ＥＰＤＣＣＨが他のサービングセルで送信されることを示している場合、該他のサービングセルにおけるＰＤＣＣＨ／ＥＰＤＣＣＨに含まれるＣＩＦの何れの値に該セカンダリーセルが対応するかを示す情報を、端末装置１に送信してもよい。
【００７２】
図４は、本実施形態における下りリンク信号のマッピングの一例を示す図である。ＰＤＣＣＨ領域は、ＰＣＦＩＣＨに含まれるＣＦＩによって示される。ＰＤＣＣＨ領域は複数のＰＤＣＣＨ候補を含む。１つのＰＤＣＣＨは、１つのＰＤＣＣＨ候補を用いて送信される。
【００７３】
ＥＰＤＣＣＨ領域は複数のＥＰＤＣＣＨ候補を含む。１つのＥＰＤＣＣＨは、１つのＥＰＤＣＣＨ候補を用いて送信される。ＥＰＤＣＣＨ領域を、ＥＰＤＣＣＨセット、または、ＥＰＤＣＣＨ−ＰＲＢ−セットとも称する。基地局装置３は、ＥＰＤＣＣＨセットを構成する周波数帯域を示す情報を、端末装置１に送信する。ＥＰＤＣＣＨセットを構成する周波数帯域は、ＰＲＢのインデックスによって表現される。１つのＥＰＤＣＣＨセットが対応するＰＲＢインデックスは、非連続であってもよい。１つのサービングセルの１つのサブフレームにおいて、２つのＥＰＤＣＣＨセットが設定されてもよい。
【００７４】
図５は、本実施形態における下りリンク制御情報の送信処理の一例を示す図である。（５００）基地局装置３は、下りリンク制御情報（ＤＣＩフォーマット）に基づいてＣＲＣパリティビットを導き出し、ＲＮＴＩによってスクランブルされたＣＲＣパリティビットを該下りリンク制御情報に付加する。（５０１）基地局装置３は、ＲＮＴＩによってスクランブルされたＣＲＣパリティビットが付加された下りリンク制御情報を、チャネル符号化する。
【００７５】
（５０２）基地局装置３は、チャネル符号化された下りリンク制御情報をＱＰＳＫ変調する。（５０３）基地局装置３は、下りリンク制御情報の変調シンボルをリソースエレメント（ＰＤＣＣＨ候補、または、ＥＰＤＣＣＨ候補）にマップする。
【００７６】
端末装置１は、サービングセルの１つのサブフレームにおけるＰＤＣＣＨ候補のセット、および／または、全てのＥＰＤＣＣＨ候補のセットをモニタする。端末装置１は、サービングセルの１つのサブフレームにおける全てのＰＤＣＣＨ候補、および、全てのＥＰＤＣＣＨ候補をモニタしなくてもよい。モニタリングは、モニタされるＤＣＩフォーマットに応じて、ＰＤＣＣＨ候補のセット／ＥＰＤＣＣＨ候補のセットにおけるＰＤＣＣＨ／ＥＰＤＣＣＨのそれぞれのデコードを試みることを意味する。
【００７７】
基地局装置３は、端末装置１によってモニタされる、サービングセルの１つのサブフレームにおけるＰＤＣＣＨ候補のセット、および／または、全てのＥＰＤＣＣＨ候補のセットの中から、端末装置１に対するＰＤＣＣＨの送信のために用いられるＰＤＣＣＨ候補／ＥＰＤＣＣＨ候補を選択する。
【００７８】
モニタされるＰＤＣＣＨ候補のセット、および、モニタされるＥＰＤＣＣＨ候補のセットを、サーチスペースとも称する。複数のサーチスペースは、複数のＣＳＳ（Common Search Space）、および、複数のＵＳＳ（User equipment-specific Search Space）を含む
。複数のＣＳＳは、複数のＰＤＣＣＨ  ＣＳＳを含む。複数のＵＳＳは、複数のＰＤＣＣＨ  ＵＳＳ、および、複数のＥＰＤＣＣＨ  ＵＳＳを含む。１つのＰＤＣＣＨ  ＵＳＳは、複数のＰＤＣＣＨ候補から構成される１つのセットである。１つのＥＰＤＣＣＨ  ＵＳＳは、複数のＥＰＤＣＣＨ候補から構成される１つのセットである。
【００７９】
同じＰＤＣＣＨ  ＣＳＳに含まれるＰＤＣＣＨ候補は、同じ数のＣＣＥ（Control Channel Element）から構成される。同じＰＤＣＣＨ  ＵＳＳに含まれるＰＤＣＣＨ候補は、
同じ数のＣＣＥから構成される。同じＥＰＤＣＣＨ  ＵＳＳに含まれるＥＰＤＣＣＨ候補は、同じ数のＥＣＣＥ（Enhanced Control Channel Element）から構成される。ＰＤＣＣＨ候補を構成するＣＣＥの数、および、ＥＰＤＣＣＨ候補を構成するＥＣＣＥの数を、アグリゲーションレベルＬ（aggregation level）と称する。ＣＣＥは、ＰＤＣＣＨ領域に
含まれる複数のリソースエレメントから構成される。ＥＣＣＥは、ＥＰＤＣＣＨセットに含まれる複数のリソースエレメントから構成される。ＰＤＣＣＨ  ＵＳＳ、および、ＥＰＤＣＣＨ  ＵＳＳは、アグリゲーションレベル毎に定義される。
【００８０】
ＰＤＣＣＨがモニタされるサービングセルのそれぞれに対して、サブフレームｋにおけるアグリゲーションレベルＬに対応するＰＤＣＣＨ  ＵＳＳ  Ｓｋ（Ｌ）に含まれるＰＤＣＣＨ候補ｍに対応する１つまたは複数のＣＣＥは、数式（１）、数式（２）、および、数式（３）によって与えられる。
【００８１】
【数１】
2019004196.tif 000003
【数２】
2019004196.tif 000004
【数３】
2019004196.tif 000005
【００８２】
Ｘ  ｍｏｄ  Ｙは、ＸをＹで割ったときの余りを返す関数である。ｆｌｏｏｒは、入力された値の少数点以下を切り捨てた値を返す関数である。ＮＣＣＥ，ｋは、サブフレームｋに含まれるＣＣＥの総数である。ｍは、ＰＤＣＣＨ  ＵＳＳ  Ｓｋ（Ｌ）に含まれるＰＤＣＣＨ候補のインデックスである。Ｍ（Ｌ）は、ＰＤＣＣＨ  ＵＳＳ  Ｓｋ（Ｌ）においてモニタされるＰＤＣＣＨ候補の数である。ｎＣＩは、ＣＩＦ値である。ＰＤＣＣＨ  ＵＳＳ  Ｓｋ（Ｌ）は、ＣＩＦ値毎に定義される。端末装置１は、モニタするＤＣＩフォーマットに含まれるＣＩＦがセットされうる値に対応するＰＤＣＣＨ  ＵＳＳ  Ｓｋ（Ｌ）をモニタする。ｎＲＮＴＩは、ＲＮＴＩの値である。本実施形態において、ｎＲＮＴＩは、Ｃ−ＲＮＴＩの値である。
【００８３】
Ｍ（Ｌ）は、アグリゲーションレベルＬ毎に予め決められた値であってもよい。例えば、Ｌ＝２に対して、Ｍ（Ｌ）は６であってもよい。
【００８４】
図６は、本実施形態における１つのサービングセルの１つのサブフレームｋにおけるＰＤＣＣＨ  ＵＳＳの一例を示す図である。図６におけるＰＤＣＣＨ  ＵＳＳは、数式（１）、および、（２）によって与えられる。図６において、横軸は１つのサービングセルの１つのサブフレームｋに含まれるＣＣＥのインデックスｎＣＣＥである。図６は、ＣＩＦ値０に対応するＰＤＣＣＨ  ＵＳＳ６００、ＣＩＦ値１に対応するＰＤＣＣＨ  ＵＳＳ６０１、および、ＣＩＦ値２に対応するＰＤＣＣＨ  ＵＳＳ６０２を含む。ｉが付された太線の四角は、ＣＩＦ値ｉに対応するＰＤＣＣＨ  ＵＳＳに含まれるＰＤＣＣＨ候補である。図６において、０および２が付された太線の四角は、ＰＤＣＣＨ  ＵＳＳ６００、および、ＰＤＣＣＨ  ＵＳＳ６０２の両方に含まれるＰＤＣＣＨ候補である。図６において、ＮＣＣＥ，ｋは３２、Ｌは２、且つ、Ｙｋは２である。図６において、ＰＤＣＣＨ  ＵＳＳ６００、６０１、６０２のそれぞれに対して、Ｍ（Ｌ）は６である。
【００８５】
図６において、あるＣＩＦ値に対応するＰＤＣＣＨ  ＵＳＳに含まれるＰＤＣＣＨ候補ｍ＝Ｍ（Ｌ）−１は、該あるＣＩＦ値より１つ大きいＣＩＦ値に対応するＰＤＣＣＨ  ＵＳＳに含まれるＰＤＣＣＨ候補ｍ＝０と隣接する。すなわち、あるＣＩＦ値に対応するＰＤＣＣＨ  ＵＳＳは、該あるＣＩＦ値より１つ大きいＣＩＦ値に対応するＰＤＣＣＨ  ＵＳＳと隣接する。
【００８６】
端末装置１によってモニタされるＰＤＣＣＨ  ＵＳＳに含まれるＰＤＣＣＨ候補の数Ｍ（Ｌ）は係数αｃに基づいて削減されてもよい。係数αｃに基づいて削減されるＰＤＣＣＨ候補の数Ｍｃ（Ｌ）は、数式（４）によって与えられてもよい。ｃはＣＩＦ値である。ＰＤＣＣＨ候補の数を削減することによって、端末装置１による受信処理の負荷を低減することができる。
【００８７】
【数４】
2019004196.tif 000006
【数５】
2019004196.tif 000007
【００８８】
ｃｅｉｌｉｎｇは、入力された値の少数点以下を切り上げた値を返す関数である。係数αｃは、アグリゲーションレベル毎に定義されてもよい。係数αｃは、スケジュールされるサービングセル毎に定義されてもよい。係数αｃは、ＰＤＣＣＨ  ＵＳＳが対応するＣＩＦ値毎に定義されてもよい。基地局装置３は、係数αｃを示す情報／パラメータを、端末装置１に送信してもよい。
【００８９】
図７は、本実施形態における１つのサービングセルの１つのサブフレームｋにおけるＰＤＣＣＨ  ＵＳＳの一例を示す図である。図７におけるＰＤＣＣＨ  ＵＳＳは、数式（１）、（４）、および、（５）によって与えられる。図７において、横軸は１つのサービングセルの１つのサブフレームｋに含まれるＣＣＥのインデックスｎＣＣＥである。図７は、ＣＩＦ値０に対応するＰＤＣＣＨ  ＵＳＳ７００、および、ＣＩＦ値２に対応するＰＤＣＣＨ  ＵＳＳ７０２を含む。ｉが付された太線の四角は、ＣＩＦ値ｉに対応するＰＤＣＣＨ  ＵＳＳに含まれるＰＤＣＣＨ候補である。図７において、０および２が付された太線の四角は、ＰＤＣＣＨ  ＵＳＳ７００、および、ＰＤＣＣＨ  ＵＳＳ７０２の両方に含まれるＰＤＣＣＨ候補である。図７において、ＮＣＣＥ，ｋは３２、Ｌは２、且つ、Ｙｋは２である。ＰＤＣＣＨ  ＵＳＳ７００に対して、α０は０．６６であり、Ｍ０（Ｌ）は４である。ＰＤＣＣＨ  ＵＳＳ７０１に対して、α１は０であり、Ｍ１（Ｌ）は０である。ＰＤＣＣＨ  ＵＳＳ７０２に対して、α２は１であり、Ｍ２（Ｌ）は６である。
【００９０】
図７において、あるＣＩＦ値に対応するＰＤＣＣＨ  ＵＳＳに含まれるＰＤＣＣＨ候補ｍ＝０が対応するＣＣＥは、係数αｃの値に依存しない。これによって、端末装置１によるモニタに関する処理を簡易化することができる。
【００９１】
図７において、端末装置１によってモニタされるＰＤＣＣＨ候補が削減されるが、未だに複数のＰＤＣＣＨ  ＵＳＳに含まれるＰＤＣＣＨ候補が存在する。複数のＰＤＣＣＨ  ＵＳＳに含まれるＰＤＣＣＨ候補が原因となって、基地局装置３によるＰＤＣＣＨのスケジューリングが制限される。
【００９２】
数式（５）の代わりに数式（６）を用いてもよい。数式（６）において、ＰＤＣＣＨ  ＵＳＳが含まれるサービングセルにおいてモニタされるＤＣＩフォーマットに含まれるＣＩＦの可能性がない値に対応するＭｃ（Ｌ）は０であり、Ｍ−１（Ｌ）は０である。
【００９３】
【数６】
2019004196.tif 000008
【００９４】
図８は、本実施形態における１つのサービングセルの１つのサブフレームｋにおけるＰＤＣＣＨ  ＵＳＳの一例を示す図である。図８におけるＰＤＣＣＨ  ＵＳＳは、数式（１）、（４）、および、（６）によって与えられる。図８において、横軸は１つのサービングセルの１つのサブフレームｋに含まれるＣＣＥのインデックスｎＣＣＥである。図８は、ＣＩＦ値０に対応するＰＤＣＣＨ  ＵＳＳ８００、および、ＣＩＦ値２に対応するＰＤＣＣＨ  ＵＳＳ８０２を含む。ｉが付された太線の四角は、ＣＩＦ値ｉに対応するＰＤＣＣＨ  ＵＳＳに含まれるＰＤＣＣＨ候補である。図８において、ＮＣＣＥ，ｋは３２、Ｌは２、且つ、Ｙｋは２である。ＰＤＣＣＨ  ＵＳＳ８００に対して、α０は０．６６であり、Ｍ０（Ｌ）は４である。ＰＤＣＣＨ  ＵＳＳ８０１に対して、α１は０であり、Ｍ１（Ｌ）は０である。ＰＤＣＣＨ  ＵＳＳ８０２に対して、α２は１であり、Ｍ２（Ｌ）は６である。
【００９５】
図８において、あるＣＩＦ値に対応するＰＤＣＣＨ  ＵＳＳに含まれるＰＤＣＣＨ候補ｍ＝０が対応するＣＣＥは、係数αｃの値、および、Ｍｃ（Ｌ）値に基づいて与えられる。これによって、あるＰＤＣＣＨ候補が複数のＰＤＣＣＨ  ＵＳＳに同時に含まれる確率を下げることができる。
【００９６】
端末装置１がサービングセルにおいてＣＩＦを含むＰＤＣＣＨをモニタするよう設定されていない場合、数式（２）、（５）、および、（６）におけるｍ’の値は０であってもよい。
【００９７】
ＥＰＤＣＣＨがモニタされるサービングセルに対して、サブフレームｋにおけるＥＰＤＣＣＨセットｐにおけるアグリゲーションレベルＬに対応するＥＰＤＣＣＨ  ＵＳＳ  ＥＳｋ（Ｌ）に含まれるＥＰＤＣＣＨ候補ｍに対応する１つまたは複数のＥＣＣＥは、数式（７）、および、数式（８）によって与えられる。
【００９８】
【数７】
2019004196.tif 000009
【数８】
2019004196.tif 000010
【００９９】
ＮＥＣＣＥ，ｐ，ｋは、サブフレームｋにおけるＥＰＤＣＣＨセットｐに含まれるＥＣＣＥの総数である。ｍｐは、ＥＰＤＣＣＨ  ＵＳＳ  ＥＳｋ（Ｌ）に含まれるＥＰＤＣＣＨ候補のインデックスである。ｂはＣＩＦ値である。Ｍｐ（Ｌ）は、ＥＰＤＣＣＨ  ＵＳＳ  ＥＳｋ（Ｌ）においてモニタされるＥＰＤＣＣＨ候補の数である。ＥＰＤＣＣＨ  ＵＳＳ  ＥＳｋ（Ｌ）は、ＣＩＦ値毎に定義される。端末装置１は、モニタするＤＣＩフォーマットに含まれるＣＩＦがセットされうる値に対応するＥＰＤＣＣＨ  ＵＳＳ  Ｓｋ（Ｌ）をモニタする。ｎＲＮＴＩは、ＲＮＴＩの値である。本実施形態において、ｎＲＮＴＩは、Ｃ−ＲＮＴＩの値である。
【０１００】
Ｍｐ（Ｌ）は、アグリゲーションレベルＬ、ＥＰＤＣＣＨセットに含まれるＰＲＢの数、およし、サービングセルにおける１つのサブフレームにおいて設定されるＥＰＤＣＣＨセットの数などに基づいて与えられてもよい。図９から図１２において、Ｍｐ（Ｌ）は６である。ただし、図１０から図１２において、ＥＰＤＣＣＨ  ＵＳＳ  ＥＳｋ（Ｌ）において実際にモニタされるＥＰＤＣＣＨ候補の数はＭｐ（Ｌ）から削減される。
【０１０１】
図９は、本実施形態における１つのサービングセルの１つのサブフレームｋにおける１つのＥＰＤＣＣＨセットｐにおけるＥＰＤＣＣＨ  ＵＳＳの一例を示す図である。図９におけるＥＰＤＣＣＨ  ＵＳＳは、数式（７）によって与えられる。図９において、横軸は１つのサービングセルの１つのサブフレームｋにおける１つのＥＰＤＣＣＨセットｐに含まれるＥＣＣＥのインデックスｎＥＣＣＥである。図６は、ＣＩＦ値０に対応するＥＰＤＣＣＨ  ＵＳＳ９００、および、ＣＩＦ値１に対応するＥＰＤＣＣＨ  ＵＳＳ９０１を含む。ｉが付された太線の四角は、ＣＩＦ値ｉに対応するＥＰＤＣＣＨ  ＵＳＳに含まれるＥＰＤＣＣＨ候補である。図９において、ＮＥＣＣＥ，ｐ，ｋは３２、Ｌは２、且つ、Ｙｐ，ｋは０である。図９において、ＥＰＤＣＣＨ  ＵＳＳ９００、９０１のそれぞれに対して、Ｍｐ（Ｌ）は６である。
【０１０２】
図９において、あるＣＩＦ値に対応するＥＰＤＣＣＨ  ＵＳＳに含まれるＥＰＤＣＣＨ候補ｍｐ＝ｘは、該あるＣＩＦ値より１つ大きいＣＩＦ値に対応するＥＰＤＣＣＨ  ＵＳＳに含まれるＥＰＤＣＣＨ候補ｍｐ＝ｘと隣接する。
【０１０３】
端末装置１によってモニタされるＥＰＤＣＣＨ  ＵＳＳに含まれるＥＰＤＣＣＨ候補の数Ｍｐ（Ｌ）は係数αｐ，ｃに基づいて削減されてもよい。係数αｐ，ｃに基づいて削減されるＥＰＤＣＣＨ候補の数Ｍｐ，ｃ（Ｌ）は、数式（９）によって与えられてもよい。ｃはＣＩＦ値である。ＥＰＤＣＣＨ候補の数を削減することによって、端末装置１による受信処理の負荷を低減することができる。
【０１０４】
【数９】
2019004196.tif 000011
【０１０５】
係数αｐ，ｃは、アグリゲーションレベル毎、および、ＥＰＤＣＣＨセット毎に定義されてもよい。係数αｐ，ｃは、スケジュールされるサービングセル毎に定義されてもよい。係数αｐ，ｃは、ＥＰＤＣＣＨ  ＵＳＳが対応するＣＩＦ値毎に定義されてもよい。基地局装置３は、係数αｐ，ｃを示す情報／パラメータを、端末装置１に送信してもよい。
【０１０６】
端末装置１は、数式（７）において、Ｍｐ（Ｌ）の代わりにＭｐ，ｃ（Ｌ）を用いてもよい。数式（１０）は、数式（７）のＭｐ（Ｌ）をＭｐ，ｃ（Ｌ）に置き換えた式である。
【０１０７】
【数１０】
2019004196.tif 000012
【０１０８】
図１０は、本実施形態における１つのサービングセルの１つのサブフレームｋにおける１つのＥＰＤＣＣＨセットｐにおけるＥＰＤＣＣＨ  ＵＳＳの一例を示す図である。図１０におけるＥＰＤＣＣＨ  ＵＳＳは、数式（１０）によって与えられる。図１０において、横軸は１つのサービングセルの１つのサブフレームｋにおける１つのＥＰＤＣＣＨセットｐに含まれるＥＣＣＥのインデックスｎＥＣＣＥである。図１０は、ＣＩＦ値０に対応するＥＰＤＣＣＨ  ＵＳＳ１０００、および、ＣＩＦ値１に対応するＥＰＤＣＣＨ  ＵＳＳ１００１を含む。ｉが付された太線の四角は、ＣＩＦ値ｉに対応するＥＰＤＣＣＨ  ＵＳＳに含まれるＥＰＤＣＣＨ候補である。図１０において、０および１が付された太線の四角は、ＥＰＤＣＣＨ  ＵＳＳ１０００、および、ＥＰＤＣＣＨ  ＵＳＳ１００２の両方に含まれるＥＰＤＣＣＨ候補である。図１０において、ＮＥＣＣＥ，ｋは３２、Ｌは２、且つ、Ｙｐ，ｋは０である。ＥＰＤＣＣＨ  ＵＳＳ１０００に対して、αｐ，０は１であり、Ｍｐ，０（Ｌ）は６である。ＥＰＤＣＣＨ  ＵＳＳ１００１に対して、αｐ，１は０．６６であり、Ｍｐ，１（Ｌ）は４である。
【０１０９】
図１０において、あるＣＩＦ値に対応するＥＰＤＣＣＨ  ＵＳＳに含まれるＥＰＤＣＣＨ候補ｍｐ＝０が対応するＥＣＣＥは、係数αｐ，ｃの値に依存しない。図１０において、あるＣＩＦ値に対応するＥＰＤＣＣＨ  ＵＳＳに含まれるＥＰＤＣＣＨ候補ｍｐ≠０が対応するＥＣＣＥは、係数αｐ，ｃの値に依存する。
【０１１０】
図１０において、端末装置１によってモニタされるＰＤＣＣＨ候補が削減されるが、複数のＥＰＤＣＣＨ  ＵＳＳに含まれるＥＰＤＣＣＨ候補が存在する可能性が向上してしまう。複数のＥＰＤＣＣＨ  ＵＳＳに含まれるＥＰＤＣＣＨ候補が原因となって、基地局装置３によるＥＰＤＣＣＨのスケジューリングが制限される。
【０１１１】
端末装置１は、Ｍｐ（Ｌ）がαｐ，ｃによって削減されたとしても、Ｍｐ（Ｌ）の代わりにＭｐ，ｃ（Ｌ）を用いなくてももよい。数式（１１）は、数式（７）のｍｐの値が０
からＭｐ，ｃ（Ｌ）に変更された式である。しかし、数式（１１）のｆｌｏｏｒ関数に入力される、Ｍｐ（Ｌ）はＭｐ，ｃ（Ｌ）に変更されない。
【０１１２】
【数１１】
2019004196.tif 000013
【０１１３】
図１１は、本実施形態における１つのサービングセルの１つのサブフレームｋにおける１つのＥＰＤＣＣＨセットｐにおけるＥＰＤＣＣＨ  ＵＳＳの一例を示す図である。図１１におけるＥＰＤＣＣＨ  ＵＳＳは、数式（１１）によって与えられる。図１１において、横軸は１つのサービングセルの１つのサブフレームｋにおける１つのＥＰＤＣＣＨセットｐに含まれるＥＣＣＥのインデックスｎＥＣＣＥである。図１１は、ＣＩＦ値０に対応するＥＰＤＣＣＨ  ＵＳＳ１１００、および、ＣＩＦ値１に対応するＥＰＤＣＣＨ  ＵＳＳ１１０１を含む。ｉが付された太線の四角は、ＣＩＦ値ｉに対応するＥＰＤＣＣＨ  ＵＳＳに含まれるＥＰＤＣＣＨ候補である。図１１において、ＮＥＣＣＥ，ｋは３２、Ｌは２、且つ、Ｙｐ，ｋは０である。ＥＰＤＣＣＨ  ＵＳＳ１１００に対して、αｐ，０は１であり、Ｍｐ，０（Ｌ）は６である。ＥＰＤＣＣＨ  ＵＳＳ１１０１に対して、αｐ，１は０．６６であり、Ｍｐ，１（Ｌ）は４である。
【０１１４】
図１１において、あるＣＩＦ値に対応するＥＰＤＣＣＨ  ＵＳＳに含まれるＰＤＣＣＨ候補ｍｐ＝ｘが対応するＥＣＣＥは、係数αｐ，ｃの値に依存しない。図１１において、あるＣＩＦ値に対応するＥＰＤＣＣＨ  ＵＳＳに含まれるＥＰＤＣＣＨ候補ｍｐ＝ｘは、該あるＣＩＦ値より１つ大きいＣＩＦ値に対応するＥＰＤＣＣＨ  ＵＳＳに含まれるＥＰＤＣＣＨ候補ｍｐ＝ｘと隣接する。
【０１１５】
図１１のＥＰＤＣＣＨ  ＵＳＳ１１０１は、図１０のＥＰＤＣＣＨ  ＵＳＳ１００１に含まれるＥＰＤＣＣＨ候補の一部が削減されたものである。図１０のＥＰＤＣＣＨ  ＵＳＳ１００１を削減する際に、ＥＰＤＣＣＨ候補のインデックスｍｐが大きいほうから削減される。これによって、図１１のＥＰＤＣＣＨ  ＵＳＳ１１０１に含まれる複数のＥＰＤＣＣＨ候補に対応するＥＣＣＥのインデックスが偏ってしまい、ＥＰＤＣＣＨに対する周波数選択性スケジューリングによる周波数選択ダイバーシチ効果が制限されてしまう。
【０１１６】
そこで、数式（１１）におけるｍｐをｍ’ｐに置き換えてもよい。数式（１２）は、数式（１１）のｍｐをｍ’ｐに置き換えた式である。数式（１１）におけるｍｐの値は、０からＭｐ，ｃ（Ｌ）の連続する値である一方、数式（１２）におけるｍ’ｐは、０からスタートするＭｐ，ｃ（Ｌ）−１を超えない非連続な値である。ｍ’ｐの値は、αｐ，ｃ、または、αｐ，ｃから算出されるＭｐ，ｃ（Ｌ）に基づく。例えば、ｍ’ｐは、数式（１３）、または、数式（１４）によって与えられる。
【０１１７】
【数１２】
2019004196.tif 000014
【数１３】
2019004196.tif 000015
【数１４】
2019004196.tif 000016
【０１１８】
図１２は、本実施形態における１つのサービングセルの１つのサブフレームｋにおける１つのＥＰＤＣＣＨセットｐにおけるＥＰＤＣＣＨ  ＵＳＳの一例を示す図である。図１２におけるＥＰＤＣＣＨ  ＵＳＳは、数式（１２）、および、数式（１４）によって与えられる。図１２において、横軸は１つのサービングセルの１つのサブフレームｋにおける１つのＥＰＤＣＣＨセットｐに含まれるＥＣＣＥのインデックスｎＥＣＣＥである。図１２は、ＣＩＦ値０に対応するＥＰＤＣＣＨ  ＵＳＳ１２００、および、ＣＩＦ値１に対応するＥＰＤＣＣＨ  ＵＳＳ１２０１を含む。ｉが付された太線の四角は、ＣＩＦ値ｉに対応するＥＰＤＣＣＨ  ＵＳＳに含まれるＥＰＤＣＣＨ候補である。図１２において、ＮＥＣＣＥ，ｋは３２、Ｌは２、且つ、Ｙｐ，ｋは０である。ＥＰＤＣＣＨ  ＵＳＳ１２００に対して、αｐ，０は１であり、Ｍｐ，０（Ｌ）は６である。ＥＰＤＣＣＨ  ＵＳＳ１２０１に対して、αｐ，１は０．６６であり、Ｍｐ，１（Ｌ）は４である。
【０１１９】
図１２のＥＰＤＣＣＨ  ＵＳＳ１２０１は、図１０のＥＰＤＣＣＨ  ＵＳＳ１００１に含まれるＥＰＤＣＣＨ候補の一部が削減されたものである。図１０のＥＰＤＣＣＨ  ＵＳＳ１００１を削減する際に、ＥＰＤＣＣＨ候補のインデックスｍｐが非連続的に削減される。これによって、図１２のＥＰＤＣＣＨ  ＵＳＳ１２０１に含まれる複数のＥＰＤＣＣＨ候補に対応するＥＣＣＥのインデックスが偏らず、ＥＰＤＣＣＨに対する周波数選択性スケジューリングによる周波数選択ダイバーシチ効果が得られやすくなる。
【０１２０】
端末装置１がサービングセルにおいてＣＩＦを含むＥＰＤＣＣＨをモニタするよう設定されていない場合、数式（７）、（１０）、（１１）、および、（１２）におけるｂの値は０であってもよい。
【０１２１】
以下、本実施形態におけるＤＣＩフォーマットとＵＳＳとの対応について説明する。
【０１２２】
あるＣＩＦ値を含むＤＣＩフォーマットを伝送するために用いられるＰＤＣＣＨは、該あるＣＩＦ値に対応するＵＳＳにおいて送信されてもよい。異なるＤＣＩフォーマットが
同じペイロードサイズを持つ場合、該異なるＤＣＩフォーマットに含まれる異なるＣＩＦ値のそれぞれに対応する異なるＵＳＳの何れにおいて送信されてもよい。異なるＤＣＩフォーマットが同じペイロードサイズ場合とは、該同じペイロードサイズが複数のＣＩＦ値に対応する場合である。該異なるＤＣＩフォーマットのペイロードサイズが同じ場合、異なるＣＩＦ値を持つ異なるＤＣＩフォーマットがＵＳＳを共有したとしても、端末装置１の受信処理の負荷は少ししか増えない。
【０１２３】
あるサービングセルに対応するＣＩＦ値を含むＤＣＩフォーマットを、あるサービングセルに対するＤＣＩフォーマットと称する。基地局装置３は、あるサービングセルに対するＤＣＩフォーマット０／１Ａのモニタリングの非活性化を指示する情報／パラメータを、端末装置１に送信してもよい。
【０１２４】
端末装置１は、あるサービングセルに対するＤＣＩフォーマット０／１Ａのモニタリングが非活性化されている場合、該あるサービングセルが対応するＣＩＦ値に基づくＵＳＳにおいて、該あるサービングセルに対するＤＣＩフォーマット０／１Ａをモニタしない。
【０１２５】
端末装置１は、あるサービングセルに対するＤＣＩフォーマット０／１Ａのモニタリングが非活性化されている場合、該あるサービングセルが対応するＣＩＦ値に基づくＵＳＳにおいて、該あるサービングセルに対するＤＣＩフォーマット０／１Ａをモニタする。
【０１２６】
端末装置１は、あるサービングセルに対するＤＣＩフォーマット０／１Ａのモニタリングが非活性化されているかどうかに関わらず、該あるサービングセルが対応するＣＩＦ値に基づくＵＳＳにおいて、該あるサービングセルに対するＤＣＩフォーマットＹをモニタする。ここで、ＤＣＩフォーマットＹは、ＤＣＩフォーマット０／１Ａ以外のＤＣＩフォーマットである。
【０１２７】
図１３は、本実施形態におけるＣＩＦ値１に対応するサービングセルｃ１に対するＤＣＩフォーマット０／１Ａのモニタリングが非活性化されていない場合におけるＤＣＩフォーマットとＵＳＳとの対応を示す図である。
【０１２８】
図１４は、本実施形態におけるＣＩＦ値１に対応するサービングセルｃ１に対するＤＣＩフォーマット０／１Ａのモニタリングが非活性化されている場合におけるＤＣＩフォーマットとＵＳＳとの対応を示す図である。
【０１２９】
図１５は、本実施形態におけるＣＩＦ値１に対応するサービングセルｃ１に対するＤＣＩフォーマット０／１Ａのモニタリングが非活性化されている場合におけるＤＣＩフォーマットとＵＳＳとの対応を示す図である。
【０１３０】
図１３、図１４、および、図１５において、サービングセルｃ０に対するＤＣＩフォーマットＸ（１３０１）のペイロードサイズは、サービングセルｃ１に対するＤＣＩフォーマット０／１Ａ（１３０２）のペイロードサイズと同じである。
【０１３１】
図１３、図１４、および、図１５において、サービングセルｃ０に対するＤＣＩフォーマットＸ（１３０１）のペイロードサイズは、サービングセルｃ１に対するＤＣＩフォーマット０／１Ａ（１３０２）のペイロードサイズと同じである。図１３、図１４、および、図１５において、ＤＣＩフォーマットＸは、ＤＣＩフォーマット０／１Ａ、および／または、ＤＣＩフォーマット０／１Ａ以外のＤＣＩフォーマットを含んでもよい。図１３、図１４、および、図１５において、端末装置１は、サービングセルｃ１に対するに対するＤＣＩフォーマット０／１Ａのモニタリングが非活性化されているかどうかに関わらず、サービングセルｃ０におけるＣＩＦ値０に対応するＵＳＳ（１３０３）におけるＰＤＣＣ
Ｈ候補／ＥＰＤＣＣＨ候補において、サービングセルｃ０に対するＤＣＩフォーマットＸ（１３０１）が送信される可能性があるとみなす。端末装置１は、ＵＳＳにおけるＰＤＣＣＨ候補／ＥＰＤＣＣＨ候補においてＤＣＩフォーマットが送信される可能性があるとみなす場合、該ＤＣＩフォーマットに応じて該ＵＳＳにおけるＰＤＣＣＨ候補／ＥＰＤＣＣＨ候補においてＰＤＣＣＨの復号を試みる。
【０１３２】
図１３において、端末装置１は、サービングセルｃ０におけるＣＩＦ値０に対応するＵＳＳ（１３０３）、および、サービングセルｃ０におけるＣＩＦ値１に対応するＵＳＳ（１３０４）の何れかにおけるＰＤＣＣＨ候補／ＥＰＤＣＣＨ候補において、サービングセルｃ０に対するＤＣＩフォーマットＸ（１３０１）が送信される可能性があるとみなす。図１３において、端末装置１は、サービングセルｃ０におけるＣＩＦ値０に対応するＵＳＳ（１３０３）、および、サービングセルｃ０におけるＣＩＦ値１に対応するＵＳＳ（１３０４）の何れかにおけるＰＤＣＣＨ候補／ＥＰＤＣＣＨ候補において、サービングセルｃ１に対するＤＣＩフォーマット０／１Ａ（１３０２）が送信される可能性があるとみなす。
【０１３３】
図１４において、端末装置１は、サービングセルｃ０におけるＣＩＦ値０に対応するＵＳＳ（１３０３）におけるＰＤＣＣＨ候補／ＥＰＤＣＣＨ候補において、サービングセルｃ０に対するＤＣＩフォーマットＸ（１３０１）が送信される可能性があるとみなす。図１３において、端末装置１は、サービングセルｃ０におけるＣＩＦ値０に対応するＵＳＳ（１３０３）、および、サービングセルｃ０におけるＣＩＦ値１に対応するＵＳＳ（１３０４）の何れにおいても、サービングセルｃ１に対するＤＣＩフォーマット０／１Ａ（１３０２）が送信される可能性がないとみなす。
【０１３４】
図１４において、サービングセルｃ１に対するＤＣＩフォーマット０／１Ａ（１３０２）のモニタリングが非活性化されている場合、サービングセルｃ１が対応するＣＩＦ値に基づくＵＳＳにおける、該ＤＣＩフォーマット０／１Ａ（１３０２）のペイロードサイズと同じペイロードサイズを持つＤＣＩフォーマットＸ（１３０１）のモニタリングも非活性化される。これにより、端末装置１の受信処理の負荷を更に減らすことができる。
【０１３５】
図１５において、端末装置１は、サービングセルｃ０におけるＣＩＦ値０に対応するＵＳＳ（１３０３）におけるＰＤＣＣＨ候補／ＥＰＤＣＣＨ候補において、サービングセルｃ０に対するＤＣＩフォーマットＸ（１３０１）が送信される可能性があるとみなす。図１５において、端末装置１は、サービングセルｃ０におけるＣＩＦ値０に対応するＵＳＳ（１３０３）におけるＰＤＣＣＨ候補／ＥＰＤＣＣＨ候補において、サービングセルｃ１に対するＤＣＩフォーマット０／１Ａ（１３０２）が送信される可能性があるとみなす。
【０１３６】
図１５において、サービングセルｃ１に対するＤＣＩフォーマット０／１Ａ（１３０２）のモニタリングが非活性化されている場合、サービングセルｃ１が対応するＣＩＦ値に基づくＵＳＳにおける、該ＤＣＩフォーマット０／１Ａ（１３０２）のペイロードサイズと同じペイロードサイズを持つＤＣＩフォーマットＸ（１３０１）のモニタリングも非活性化される。これにより、端末装置１の受信処理の負荷を更に減らすことができる。
【０１３７】
図１５において、サービングセルｃ１に対するＤＣＩフォーマット０／１Ａ（１３０２）のモニタリングが非活性化されているにも関わらず、サービングセルｃ０におけるＣＩＦ値０に対応するＵＳＳ（１３０３）におけるＰＤＣＣＨ候補／ＥＰＤＣＣＨ候補において、サービングセルｃ１に対するＤＣＩフォーマット０／１Ａ（１３０２）が送信される可能性があるとみなす。これによる端末装置１における受信処理の負荷の増加は軽微である一方、基地局装置３におけるＤＣＩフォーマットを含むＰＤＣＣＨのスケジューリングの自由度は大幅に改善される。
【０１３８】
すなわち、基地局装置３は、あるサービングセルに対応するＣＩＦ値に基づくＵＳＳにおける該あるサービングセルに対するＤＣＩフォーマット０／１Ａのモニタリングの非活性化を指示する情報／パラメータを、端末装置１に送信してもよい。
【０１３９】
以下、本実施形態における装置の構成について説明する。
【０１４０】
図１６は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベー
スバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１４１】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【０１４２】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１４３】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１４４】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１４５】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１４６】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１４７】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１
２に出力する。
【０１４８】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１４９】
図１７は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１５０】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１５１】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。
【０１５２】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１５３】
無線送受信部３０の機能は、無線送受信部１０と同様であるため説明を省略する。
【０１５４】
端末装置１が備える符号１０から符号１６が付された部のそれぞれは、回路として構成されてもよい。基地局装置３が備える符号３０から符号３６が付された部のそれぞれは、回路として構成されてもよい。
【０１５５】
以下、本実施形態における、端末装置１および基地局装置３の種々の態様について説明する。
【０１５６】
（１）本実施形態の第１の態様は、端末装置１であって、第１のサービングセルにおけるＣＩＦの第１の値が含まれる第１のＤＣＩフォーマットを含む第１のＰＤＣＣＨの検出に基づいて、前記第１のサービングセルにおける第１のＰＤＳＣＨをデコードし、且つ、前記第１のサービングセルにおけるＣＩＦの第２の値が含まれる第２のＤＣＩフォーマットを含む第２のＰＤＣＣＨの検出に基づいて、第２のサービングセルにおける第２のＰＤＳＣＨをデコードする受信部１０を備え、前記受信部１０は、前記第１のサービングセル
における前記第２のＤＣＩフォーマットのモニタリングが非活性化されていない、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性があるとみなし、前記受信部１０は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳにおいて、前記第１のＤＣＩフォーマットを含む前記第１のＰＤＣＣＨが送信される可能性がないとみなす。ここで、第１のＤＣＩフォーマットは、ＤＣＩフォーマット０、ＤＣＩフォーマット１Ａ、および／または、ＤＣＩフォーマット０／１Ａ以外のＤＣＩフォーマットを含んでもよい。ここで、第２のＤＣＩフォーマットは、ＤＣＩフォーマット０、および／または、ＤＣＩフォーマット１Ａを含んでもよい。
【０１５７】
（２）本実施形態の第１の態様において、前記第１のＤＣＩフォーマット、および、前記第２のＤＣＩフォーマットは、Ｃ−ＲＮＴＩ（Cell-Radio Network Temporary Identifier）によってスクランブルされるＣＲＣ（Cyclic Redundancy Check）パリティビットが付加される。
【０１５８】
（３）本実施形態の第１の態様において、前記受信部１０は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳにおいて、前記第２のＤＣＩフォーマットを含む前記第２のＰＤＣＣＨが送信される可能性があるとみなす。
【０１５９】
（４）本実施形態の第１の態様において、前記受信部１０は、前記第１のサービングセルにおける前記第２のＤＣＩフォーマットのモニタリングが非活性化されている場合、前記第２の値に基づいて与えられるＵＳＳにおいて、前記第２のＤＣＩフォーマットを含む前記第２のＰＤＣＣＨが送信される可能性がないとみなす。
【０１６０】
（６）本実施形態の第２の態様は、基地局装置３であって、第１のサービングセルにおけるＣＩＦの第１の値が含まれる第１のＤＣＩフォーマットを含む第１のＰＤＣＣＨを用いて、前記第１のサービングセルにおける第１のＰＤＳＣＨをスケジュールし、且つ、前記第１のサービングセルにおけるＣＩＦの第２の値が含まれる第２のＤＣＩフォーマットを含む第２のＰＤＣＣＨを用いて、第２のサービングセルにおける第２のＰＤＳＣＨをスケジュールする送信部３０を備え、前記送信部３０は、前記第１のサービングセルにおける前記第２のＤＣＩフォーマットのモニタリングが非活性化されていない、且つ、前記第１のＤＣＩフォーマットのサイズ、および、前記第２のＤＣＩフォーマットのサイズが同じである場合、前記第１の値に基づいて与えられるＵＳＳ、および、前記第２の値に基づいて与えられるＵＳＳの中から、前記第１のＤＣＩフォーマットを含む前記第１のＰＤＣＣＨが送信されるリソースを選択し、前記送信部３０は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第１のＤＣＩフォーマットを含む前記第１のＰＤＣＣＨが送信されるリソースを選択する。ここで、第１のＤＣＩフォーマットは、ＤＣＩフォーマット０、ＤＣＩフォーマット１Ａ、および／または、ＤＣＩフォーマット０／１Ａ以外のＤＣＩフォーマットを含んでもよい。ここで、第２のＤＣＩフォーマットは、ＤＣＩフォーマット０、および／または、ＤＣＩフォーマット１Ａを含んでもよい。
【０１６１】
（７）本実施形態の第２の態様において、前記第１のＤＣＩフォーマット、および、前
記第２のＤＣＩフォーマットは、Ｃ−ＲＮＴＩ（Cell-Radio Network Temporary Identifier）によってスクランブルされるＣＲＣ（Cyclic Redundancy Check）パリティビットが付加される。
【０１６２】
（８）本実施形態の第２の態様において、前記送信部３０は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第２の値に基づいて与えられるＵＳＳの中から、前記第１のＤＣＩフォーマットを含む前記第１のＰＤＣＣＨを送信するためのリソースを選択しない。
【０１６３】
（９）本実施形態の第２の態様において、前記送信部３０は、前記第１のサービングセルにおける前記第２のＤＣＩフォーマットのモニタリングが非活性化されている、且つ、前記第１のＤＣＩフォーマットのサイズ、および、前記第２のＤＣＩフォーマットのサイズが同じである場合、前記第１の値に基づいて与えられるＵＳＳの中から、前記第２のＤＣＩフォーマットを含む前記第２のＰＤＣＣＨを送信するためのリソースを選択する。
【０１６４】
（１０）本実施形態の第２の態様において、前記送信部３０は、前記第１のサービングセルにおける前記第２のＤＣＩフォーマットのモニタリングが非活性化されている場合、前記第２の値に基づいて与えられるＵＳＳにおいて、前記第２のＤＣＩフォーマットを含む前記第２のＰＤＣＣＨを送信するためのリソースを選択しない。
【０１６５】
（１１）本実施形態の第３の態様は、端末装置１であって、第１のサービングセルにおける第１のＵＳＳ（User Equipment-specific Search Space）において、前記第１のサービングセルに対するＰＤＣＣＨ（Physical Downlink Control Channel）のデコードを試
み、前記第１のサービングセル、および、第２のサービングセルの何れか一方における第２のＵＳＳにおいて、前記第２のサービングセルに対するＰＤＣＣＨのデコードを試みる受信部１０を備え、前記第１のＵＳＳに含まれるＰＤＣＣＨ候補の数は、第１のパラメータに基づいて与えられ、前記受信部１０が前記第１のサービングセルにおける前記第２のＵＳＳにおいて前記第２のサービングセルに対するＰＤＣＣＨのデコードを試みる場合、前記第２のＵＳＳに含まれるＰＤＣＣＨ候補の数は、前記第１のパラメータに基づいて与えられ、前記受信部１０が前記第２のサービングセルにおける前記第２のＵＳＳにおいて前記第２のサービングセルに対するＰＤＣＣＨのデコードを試みる場合、前記第２のＵＳＳに含まれるＰＤＣＣＨ候補の数は、前記第１のパラメータとは異なる第２のパラメータに基づいて与えられる。
【０１６６】
（１２）本実施形態の第４の態様は、端末装置１であって、第１のサービングセルにおける第１のＵＳＳ（User Equipment-specific Search Space）において、前記第１のサービングセルに対するＰＤＣＣＨ（Physical Downlink Control Channel）のデコードを試
み、前記第１のサービングセルにおける第２のＵＳＳにおいて、前記第２のサービングセルに対するＰＤＣＣＨのデコードを試みる受信部１０を備え、前記第１のＵＳＳに含まれるＰＤＣＣＨ候補の数は、第１のパラメータに基づいて与えられ、前記第２のＵＳＳに含まれるＰＤＣＣＨ候補の数は、前記第１のパラメータとは異なる第２のパラメータに基づいて与えられる。
【０１６７】
（１１）本実施形態の第５の態様は、基地局装置３であって、第１のサービングセルにおける第１のＵＳＳ（User Equipment-specific Search Space）において、前記第１のサービングセルに対するＰＤＣＣＨ（Physical Downlink Control Channel）を送信し、前
記第１のサービングセル、および、第２のサービングセルの何れか一方における第２のＵＳＳにおいて、前記第２のサービングセルに対するＰＤＣＣＨを送信する送信部３０を備え、前記第１のＵＳＳに含まれるＰＤＣＣＨ候補の数は、第１のパラメータに基づいて与
えられ、前記送信部３０が前記第１のサービングセルにおける前記第２のＵＳＳにおいて前記第２のサービングセルに対するＰＤＣＣＨを送信する場合、前記第２のＵＳＳに含まれるＰＤＣＣＨ候補の数は、前記第１のパラメータに基づいて与えられ、前記送信部３０が前記第２のサービングセルにおける前記第２のＵＳＳにおいて前記第２のサービングセルに対するＰＤＣＣＨを送信する場合、前記第２のＵＳＳに含まれるＰＤＣＣＨ候補の数は、前記第１のパラメータとは異なる第２のパラメータに基づいて与えられる。
【０１６８】
（１２）本実施形態の第６の態様は、基地局装置３であって、第１のサービングセルにおける第１のＵＳＳ（User Equipment-specific Search Space）において、前記第１のサービングセルに対するＰＤＣＣＨ（Physical Downlink Control Channel）を送信し、前
記第１のサービングセルにおける第２のＵＳＳにおいて、前記第２のサービングセルに対するＰＤＣＣＨのデコードを送信する送信部３０を備え、前記第１のＵＳＳに含まれるＰＤＣＣＨ候補の数は、第１のパラメータに基づいて与えられ、前記第２のＵＳＳに含まれるＰＤＣＣＨ候補の数は、前記第１のパラメータとは異なる第２のパラメータに基づいて与えられる。
【０１６９】
これにより、端末装置および基地局装置は互いに、下りリンクチャネルを用いて効率的に通信することができる。
【０１７０】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７１】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１７２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１７３】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１７４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ
ータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０１７５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１７６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１７７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１７８】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2019004196.tif 000017
【図２】
2019004196.tif 000018
【図３】
2019004196.tif 000019
【図４】
2019004196.tif 000020
【図５】
2019004196.tif 000021
【図６】
2019004196.tif 000022
【図７】
2019004196.tif 000023
【図８】
2019004196.tif 000024
【図９】
2019004196.tif 000025
【図１０】
2019004196.tif 000026
【図１１】
2019004196.tif 000027
【図１２】
2019004196.tif 000028
【図１３】
2019004196.tif 000029
【図１４】
2019004196.tif 000030
【図１５】
2019004196.tif 000031
【図１６】
2019004196.tif 000032
【図１７】
2019004196.tif 000033